(57)【特許請求の範囲】
【請求項１】
デジタル放送信号を受信する第１の受信部と、
受信されたデジタル放送信号から番組配列情報と映像信号・音声信号を分離して解読する手段と、
モニタの画面上の表示を制御する第１の制御部と、
番組情報を含んだ、マークアップランゲージで記述されたデータをネットワークを介して受信する第２の受信部と、
を少なくとも備え、
番組配列情報で規定されている識別子に対応した放送チャンネル及び放送番組の識別値を含む所定のリンク記述を、ネットワークを介して受信された前記マークアップランゲージで記述されたデータは含み、
前記リンク記述された情報であり、かつ、放送チャンネル及び放送番組についての情報は、モニタの画面上にリンク記述であることを示すように表示され、
リンク記述された放送チャンネル及び放送番組を選択し、前記マークアップランゲージで記述されたデータから、選択した放送チャンネル及び放送番組を識別するための識別値を抽出し、抽出された識別値と前記番組配列情報とに基づいて対応する番組を受信するよう上記第１の受信部を制御する第２の制御部を有する、放送番組受信選択装置。
【請求項２】
前記リンク記述は、ＨＴＭＬまたはＸＭＬで記述した、請求項１に記載の放送番組受信選択装置。
【請求項３】
前記ネットワークは、インターネットである、請求項１に記載の放送番組受信選択装置。
【請求項４】
前記放送チャンネル及び放送番組は、モニタに表示して選択するようにした、請求項１に記載の放送番組受信選択装置。
【請求項５】
前記モニタは、更に、前記リンク記述された番組の情報を表示する、請求項１に記載の放送番組受信選択装置。
【請求項６】
上記リンク記述は、放送チャンネルや放送番組を選択するためのキーワードと、番組配列情報で規定されている識別子と、前記識別子と対応した放送チャンネルや放送番組の識別値とを組み合わせて生成される、請求項１に記載の放送番組受信選択装置。
【請求項７】
受信したデジタル放送信号から番組配列情報と映像信号・音声信号を分離し、
番組情報を含んだ、マークアップランゲージで記述されたデータをネットワークを介して受信し、
番組配列情報で規定されている識別子に対応した放送チャンネル及び放送番組の識別値を含む所定のリンク記述を、ネットワークを介して受信された前記マークアップランゲージで記述されたデータは含み、
前記リンク記述された情報であり、かつ、放送チャンネル及び放送番組についての情報は、モニタの画面上にリンク記述であることを示すように表示し、
リンク記述された放送チャンネル及び放送番組を選択し、前記マークアップランゲージで記述されたデータから、選択した放送チャンネル及び放送番組を識別するための識別値を抽出し、抽出された識別値と前記番組配列情報とに基づいて対応する番組を受信するよう、デジタル放送信号を受信する第１の受信部を制御する、放送番組受信選択方法。
【発明の詳細な説明】
【０００１】
【発明の属する技術分野】
本発明は、放送番組受信選択装置及び放送番組受信選択方法に関する。詳しくは、デジタル放送を受信する受信側にネットワークを介してリンク記述によりリンクして放送チャンネル及び放送番組を選択することができるシステムにおいて、リンク記述に特定のキーワードを設けると共に、この特定のキーワードと組み合わせた放送番組情報の識別子とにより所望の放送チャンネル及び／又は放送番組を選択できる放送番組受信選択装置及び放送番組受信選択方法に関する。
【０００２】
【従来の技術】
従来より、ＤＶＢ（Ｄｉｇｉｔａｌ  Ｖｉｄｅｏ  Ｂｒｏａｄｃａｓｔｉｎｇ）やＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）で規格化されているＤＶＢ−ＳＩ（ＥＮ３００４６８）やＡＲＩＢ−ＳＩ（Ｂ１０）において、デジタル放送に使用する番組配列情報ＳＩ（Ｓｅｒｖｉｃｅ  Ｉｎｆｏｒｍａｔｉｏｎ）が規定されており、更にこのＳＩが使用する識別子（ｉｄ）も規定されている。
【０００３】
この識別子には、デジタル放送のストリーム内の放送チャンネル（サービス）を特定するための識別子としてｎｅｔｗｏｒｋ＿ｉｄ（ネットワーク識別）、ｔｒａｎｓｐｏｒｔ＿ｓｔｒｅａｍ＿ｉｄ（トランスポートストリーム識別）、ｓｅｒｖｉｃｅ＿ｉｄ（サービス識別）と呼ばれる各々１６ビットの値をもつ識別子が規定されており、ｎｅｔｗｏｒｋ＿ｉｄは、ネットワークにより運ばれる多重／トランスポートストリームの物理的構成に関する情報、及びネットワーク自身の特性を表すＮＩＴ（ネットワーク情報テーブル）が示す分配システムを他の分配システムと区分して識別するラベルの役割を行い、ｔｒａｎｓｐｏｒｔ＿ｓｔｒｅａｍ＿ｉｄは、トランスポートストリームを分配システム内の他の多重から識別する為のラベルの役割を行い、ｓｅｒｖｉｃｅ＿ｉｄは、トランスポートストリーム内の他のサービスから自サービスを識別するラベルの役割を行う。
【０００４】
更に、上記ｎｅｔｗｏｒｋ＿ｉｄ、ｔｒａｎｓｐｏｒｔ＿ｓｔｒｅａｍ＿ｉｄ、ｓｅｒｖｉｃｅ＿ｉｄで特定されたサービス内では、ｅｖｅｎｔ＿ｉｄ（イベント識別）と呼ばれる１つの放送チャンネル（１サービス）内で一意的に割り当てられる１６ビットの識別番号によりこの放送チャンネル（サービス）内の特定の放送番組（イベント）の識別が可能である。つまり、識別子（ｉｄ）であるｎｅｔｗｏｒｋ＿ｉｄ、ｔｒａｎｓｐｏｒｔ＿ｓｔｒｅａｍ＿ｉｄ、ｓｅｒｖｉｃｅ＿ｉｄ及びｅｖｅｎｔ＿ｉｄを組み合わせて参照することにより特定の放送チャンネル（サービス）内の特定の放送番組（イベント）を識別することができる。
【０００５】
一方で、Ｗｅｂページを記述するためのＨＴＭＬ（ＨｙｐｅｒＴｅｘｔ  Ｍａｒｋｕｐ  Ｌａｎｇｕａｇｅ）やＸＭＬ（ｅＸｔｅｎｓｉｂｌｅ  ＭａｒｋｕｐＬａｎｇｕａｇｅ）等のマークアップランゲージでは、他の文書（ファイル）や他のＷｅｂページ等へのリンク（ハイパーテキスト）が可能である。例えば、ＨＴＭＬでリンク記述を行う場合の「＜ａ＞」（アンカー）というタグ（記号）を用いて記述する。
【０００６】
このＨＴＭＬにおけるリンク記述を具体的に説明すると、「＜ａ  ｈｅｒｆ＝”ＸＸＸＸ”＞ＹＹＹＹ＜ａ／＞」と云うように、まず、「＜ａ」記号で記述を始め、「＜ａ」の後に１つ空白を入れて、これに続きパラメータを「ｈｅｒｆ＝”ＸＸＸＸ”」と記述する。「ＸＸＸＸ」にはリンク先のファイル名や文書名等を指定して、「＞」記号で閉じる。そして、「ＹＹＹＹ」には画面上でリンクが行われていることが視認できるようにリンク先を示す為のテキスト文字を入力して、最後に「＜／ａ＞」記号を記述する。
【０００７】
例えば、「＜ａ  ｈｒｅｆ＝”ｈｔｔｐ：／／１２３．１２４．１２５．１２６／ｓａｍｐｌｅ．ｈｔｍｌ”＞ｓａｍｐｌｅ＜／ａ＞」と記述する。この場合は「＜ａ  ｈｒｅｆ＝」の後には、Ｗｅｂアクセスするためのアクセス方法（プロトコル）で「ｈｔｔｐ：／／」と、アクセスするサーバの場所を表すアドレス「１２３．１２４．１２５．１２６」と、このサーバ内の参照するファイル名「ｓａｍｐｌｅ．ｈｔｍｌ」からなるＵＲＬ（Ｕｎｉｆｏｒｍ  ＲｅｓｏｕｒｃｅＬｏｃａｔｏｒ）を記述して「＞」記号で閉じる。そして、このリンク記述を画面上に表示して視認できるようにする為のテキスト文字「ｓａｍｐｌｅ」を記述して最後に「＜／ａ＞」記号とする。
【０００８】
このようなリンク記述を行うと、図４に示すような他の文字と別の色、若しくは下線が引かれた状態の「ｓａｍｐｌｅ」という文字６０１が画面６００に表示される。そしてこの文字６０１を選択（クリック）すると、ＨＴＴＰによりアドレス「１２３．１２４．１２５．１２６」のサーバへアクセスを行い、このサーバ内にある「ｓａｍｐｌｅ．ｈｔｍｌ」ファイルが参照されて画面６１０が表示される。
【０００９】
又、＜ａ  ｈｒｅｆ＝”ｍａｉｌｔｏ：ｃｏｎｔａｃｔ＠ｍａｉｌ．ｊｐ”＞ｃｏｎｔａｃｔ＜／ａ＞のように、「＜ａ  ｈｒｅｆ＝”」の後に「ｍａｉｌｔｏ：」に続いて電子メールのアドレス「ｃｏｎｔａｃｔ＠ｍａｉｌ．ｊｐ」を記述して「＞」記号で閉じる。そして、このリンク記述を画面上に表示して視認できるようにする為にテキスト文字「ｃｏｎｔａｃｔ」を記述して最後に「＜／ａ＞」記号とする。このようなリンク記述を行うと、図５に示すように他の文字と別の色、若しくは下線が引かれた状態で「ｃｏｎｔａｃｔ」という文字７０１が画面７００に表示される。この文字７０１は電子メール作成プログラムのファイルとリンクされており、文字７０１を選択（クリック）すると、電子メール作成プログラムが起動して電子メールのアドレス「ｃｏｎｔａｃｔ＠ｍａｉｌ．ｊｐ」送付用の電子メールの作成の画面７１０を表示し、電子メールを送付することができる。
【００１０】
このように、ＨＴＭＬ等のマークアップランゲージは、「＜ａ  ｈｅｒｆ＝”ＸＸＸＸ”＞ＹＹＹＹ＜ａ／＞」というような形式で記述を行うことにより内部又は外部のファイルとリンクすることができる。
【００１１】
【発明が解決しようとする課題】
しかしながら、ＨＴＭＬ等のマークアップランゲージでは、ＤＶＢやＡＲＩＢのＳＩで規定された識別子（ｎｅｔｗｏｒｋ＿ｉｄ、ｔｒａｎｓｐｏｒｔ＿ｓｔｒｅａｍ＿ｉｄ、ｓｅｒｖｉｃｅ＿ｉｄ及びｅｖｅｎｔ＿ｉｄ）を用いてリンク記述することができないので受信側で放送チャンネル及び放送番組を選択する有効な方法がないという課題を有する。
【００１２】
従って、ＨＴＭＬ等のマークアップランゲージによりＤＶＢやＡＲＩＢの規格に準拠しているＳＩの識別子（ｉｄ）と放送チャンネルや放送番組を選択する為の特定のキーワードを組み合わせてリンク記述を行い、受信装置で放送チャンネル及び放送番組を容易に選択できるようにすることに解決しなければならない課題を有する。
【００１３】
【課題を解決するための手段】
前記課題を解決するため、本発明に係る放送番組受信選択装置は次のような構成にすることである。
（１）  デジタル放送信号を受信する第１の受信部と、
受信されたデジタル放送信号から番組配列情報と映像信号・音声信号を分離して解読する手段と、
モニタの画面上の表示を制御する第１の制御部と、
番組情報を含んだ、マークアップランゲージで記述されたデータをネットワークを介して受信する第２の受信部と、
を少なくとも備え、
番組配列情報で規定されている識別子に対応した放送チャンネルや放送番組の識別値を含む所定のリンク記述を、ネットワークを介して受信された前記マークアップランゲージで記述されたデータは含み、
前記リンク記述された放送チャンネルや放送番組についての情報は、モニタの画面上にリンク記述であることを示すように表示され、
リンク記述された放送チャンネルや放送番組が選択され、
前記リンク記述に基づいて、選択された放送チャンネルや放送番組を受信するように制御することを特徴とする放送番組受信選択装置。
（２）  前記リンク記述は、ＨＴＭＬ又はＸＭＬで記述したこと
を特徴とする（１）に記載の放送番組受信選択装置。
（３）  前記ネットワークは、インターネットであること
を特徴とする（１）に記載の放送番組受信選択装置。
（４）  前記放送チャンネル及び放送番組は、モニタに表示して選択するようにしたこと
を特徴とする（１）に記載の放送番組受信選択装置。
（５）  前記マークアップランゲージで記述されたデータから識別値を抽出し、
抽出された識別値に基づいて対応する番組を受信するよう上記第１の受信部を制御する第２の制御部を有することを特徴とする（１）に記載の放送番組受信選択装置。
（６）  更に、前記リンク記述された番組の情報を表示するモニタを備えることを特徴とする（１）に記載の放送番組受信選択装置。
（７）上記リンク記述は、放送チャンネルや放送番組を選択するためのキーワードと、番組配列情報で規定されている識別子と、前記識別子と対応した放送チャンネルや放送番組の識別値とを組み合わせて生成されることを特徴とする（１）に記載の放送番組受信選択装置。
【００１４】
（８）  受信したデジタル放送信号から番組配列情報と映像信号・音声信号を分離し、
番組情報を含んだ、マークアップランゲージで記述されたデータをネットワークを介して受信し、
番組配列情報で規定されている識別子に対応した放送チャンネルや放送番組の識別値を含む所定のリンク記述を、ネットワークを介して受信された前記マークアップランゲージで記述されたデータは含み、
前記リンク記述された放送チャンネルや放送番組についての情報は、モニタの画面上にリンク記述であることを示すように表示し、
リンク記述された放送チャンネルや放送番組が選択され、
前記リンク記述に基づいて、選択された放送チャンネルや放送番組を受信するように制御することを特徴とする放送番組受信選択方法。
【００１５】
このような放送番組受信選択システム及び放送番組受信選択装置を用いることにより受信側で放送チャンネルや放送番組の選択が可能となる。
【００１６】
【発明の実施の形態】
次に、本発明に係る放送番組受信選択装置及び放送番組受信選択方法の実施の形態を図面を参照して説明する。
【００１７】
図１に示すデジタル放送受信選択システムは、デジタル放送を受信する受信選択装置１００と、受信又は録画したデジタル放送を表示するＴＶ（モニタ）２００と、デジタル放送を録画する録画装置３００とから構成される。
【００１８】
受信選択装置１００は、デジタル放送を受信するチューナ部１０１と、チューナ部１０１が受信されるデジタル放送信号からＳＩデータ等の制御信号と映像信号・音声信号を分離して解読する分離／解読部１０２と、コントローラ１０４を介して各部から送られてくるデータ等をテレビジョンであるＴＶ２００の画面上に表示させるＯＳＤ部１０３と、受信選択装置１００内の各部の制御を行うコントローラ１０４と、放送の予約受信や予約録画の時間を設定するタイマ１０５と、インターネット等のネットワークからマークアップランゲージにより記述されたデータであるＨＴＭＬ／ＸＭＬデータを取り込むモデム１０６と、ユーザが放送番組（イベント）や放送チャンネル（サービス）の選択入力等を行う為のユーザＩＦ部１０７とから構成される。
【００１９】
このようなデジタル放送受信選択システムによってデジタル放送を受信、録画する場合の動作について説明する。
【００２０】
まず、インターネット等からモデム１０６によってＥＰＧ等の番組情報を持つＨＴＭＬ／ＸＭＬデータを取り込む。この取り込まれたＨＴＭＬ／ＸＭＬデータはコントローラ１０４を介してＯＳＤ１０３へ送られ、ＴＶ（モニタ）２００の画面上に表示される。
【００２１】
このＨＴＭＬ／ＸＭＬデータには、例えば、デジタル放送の放送チャンネル（サービス）や放送番組（イベント）を選択する為の「ｔｕｎｅｔｏ」というキーワードと、ＤＶＢ／ＡＲＩＢの規格であるＳＩ（番組配列情報）で規定されている識別子（ｉｄ）と、この識別子と対応した各放送チャンネルや番組の識別値（１６ビットの値）を組み合わせて、＜ａ  ｈｅｒｆ＝”ｔｕｎｅｔｏ：ｎｅｔｗｏｒｋ＿ｉｄ；０ｘ１２３４，ｔｒａｎｓｐｏｒｔ＿ｓｔｒｅａｍ＿ｉｄ；０ｘ２３４５，ｓｅｒｖｉｃｅ＿ｉｄ；０ｘ３４５６，ｅｖｅｎｔ＿ｉｄ；０ｘ４５６７”ｐｒｏｇｒａｍ＿ｔｉｔｌｅ＜／ａ＞のようにリンク記述が為されている。
【００２２】
このようにリンク記述が為されたＨＴＭＬ／ＸＭＬデータは、図２に示すようにＴＶ（モニタ）２００の画面４００上にリンク記述であることを示す為に他の文字と別の色若しくは下線が引かれた状態で「ｐｒｏｇｒａｍ＿ｔｉｔｌｅ」という文字４０１が表示される。尚、複数の放送番組（イベント）の情報をリンク記述することができることは勿論であり、この場合は画面４００には複数の文字４０１が表示される。又、リンク記述であることを示す為の記述は文字ではなく、画像を表示させるようにすることもできる。
【００２３】
ユーザは、画面上に表示されるリンク記述された所望の放送番組（イベント）を選択（クリック）する。例えば、図２のように画面４００上に表示されている文字４０１を選択（クリック）すると、文字４０１の選択を示す情報がユーザＩＦ１０７を介してコントローラ１０４に送られる。
【００２４】
コントローラ１０４は、選択された文字４０１のリンク記述を参照し、ｎｅｔｗｏｒｋ＿ｉｄ→０ｘ１２３４、ｔｒａｎｓｐｏｒｔ＿ｓｔｒｅａｍ＿ｉｄ→０ｘ２３４５、ｓｅｒｖｉｃｅ＿ｉｄ→０ｘ３４５６、ｅｖｅｎｔ＿ｉｄ→０ｘ４５６７というようにＳＩの各識別子に対応した識別値を取り込む。
【００２５】
一方、チューナ１０１は、デジタル放送信号を受信し、分離／解読部１０２へ送り、分離／解読部１０２により受信されるデジタル放送信号からＳＩデータを分離してコントローラ１０４に送る。
【００２６】
そして、コントローラ１０４が、ユーザが選択した放送番組（イベント）のＳＩの各識別子ｎｅｔｗｏｒｋ＿ｉｄ、ｔｒａｎｓｐｏｒｔ＿ｓｔｒｅａｍ＿ｉｄ、ｓｅｒｖｉｃｅ＿ｉｄ、ｅｖｅｎｔ＿ｉｄに対する識別値と、分離／解読部１０２からのＳＩデータを参照して、選択された放送チャンネル（サービス）内の所定の放送番組（イベント）を受信するようにチューナ１０１と分離／解読部１０２を制御する。
【００２７】
チューナ１０１は、コントローラ１０４からの指示により所定の放送チャンネル（サービス）を受信して分離／解読部１０２に送る。分離／解読部１０２は、受信されるデジタル放送信号の中から選択した放送チャンネル（サービス）内の所定の放送番組（イベント）の音声信号・映像信号を分離、解読してＴＶ（モニタ）２００や録画装置３００に送る。ＴＶ（モニタ）２００、録画装置３００は送られてきた音声信号、映像信号を表示又は録画を行う。
【００２８】
予約受信或いは予約記録を行うような場合は、ＨＴＭＬ／ＸＭＬデータに含まれる時間情報やユーザがユーザＩＦ１０７を介して操作することによりコントローラ１０４を介してタイマ１０５を起動させて予約時間をセットする。コントローラ１０４は、セットされた予約時間になると前述同様にチューナ１０１に対して選択した放送番組（イベント）を受信するように制御を行い、チューナ１０１が所定の放送番組（イベント）を受信し、受信された放送番組（イベント）は分離／解読部１０２により音声、映像信号が分離、解読されてＴＶ（モニタ）２００、録画装置３００に送られ、表示又は録画を行う。
【００２９】
又、予約受信の時に放送番組（イベント）を選択しない場合や放送チャンネル（サービス）のみを選択する場合等は、リンク記述する際に前述のｅｖｅｎｔ＿ｉｄの記述を除いた＜ａ  ｈｅｒｆ＝”ｔｕｎｅｔｏ：ｎｅｔｗｏｒｋ＿ｉｄ；０ｘ１２３４，ｔｒａｎｓｐｏｒｔ＿ｓｔｒｅａｍ＿ｉｄ；０ｘ２３４５，ｓｅｒｖｉｃｅ＿ｉｄ；０ｘ３４５６”ｂｒｏａｄｃａｓｔｅｒ＿ｎａｍｅ＜／ａ＞という記述を行う。このように記述すると、図３に示すように「ｂｒｏａｄｃａｓｔｅｒ＿ｎａｍｅ」という文字５０１がリンク記述であることを示す為に他の文字と別の色若しくは下線が引かれた状態で画面５００に表示される。そして、この文字５０１を選択すると、コントローラ１０４が、ユーザが選択した放送チャンネル（サービス）のＳＩの各識別子ｎｅｔｗｏｒｋ＿ｉｄ、ｔｒａｎｓｐｏｒｔ＿ｓｔｒｅａｍ＿ｉｄ、ｓｅｒｖｉｃｅ＿ｉｄ識別値と、分離／解読部１０２からのＳＩデータを参照して、選択された放送チャンネル（サービス）を受信し、選択した放送チャンネル（サービス）内で現在放送している放送番組（イベント）がＴＶ（モニタ）２００に表示される。
【００３０】
【発明の効果】
以上説明したように、放送チャンネルや放送番組を選択する為の特定キーワードを設けて、ＤＶＢやＡＲＩＢで規定されたＳＩの識別子（ｉｄ）と組み合わせてＨＴＭＬやＸＭＬ等によりリンク記述を行うことにより受信装置側で所望の放送チャンネル（サービス）や放送番組（イベント）を容易に選択することができる。
【図面の簡単な説明】
【図１】本発明に係る放送番組受信選択装置の構成を示したブロック図である。
【図２】本発明に係る放送番組受信選択システムにより、所望の放送番組（イベント）を選択できるようにＨＴＭＬ又はＸＭＬでリンク先を記述した時の画面表示状態の説明図である。
【図３】本発明に係る放送番組受信選択システムにより、所望の放送チャンネル（サービス）を選択できるようにＨＴＭＬ又はＸＭＬでリンク先を記述した時の画面表示状態の説明図である。
【図４】ＨＴＭＬにより外部ファイルを参照するためのリンク記述を行った時の画面表示状態と、リンク先の外部ファイルを画面表示した状態の説明図である。
【図５】ＨＴＭＬにより電子メール送付するためのリンク記述を行った時の画面表示状態と、リンクした電子メール作成画面の表示状態の説明図である。
【符号の説明】
１００；受信装置、１０１；チューナ部、１０２；分離／解読部、１０３；ＯＳＤ部、１０４；コントローラ、１０５；タイマ、１０６；モデム、１０７；ユーザＩＦ、２００；ＴＶ（モニタ）、３００；録画装置、４００；画面、４０１；文字、５００；画面、５０１；文字、６００；画面、６０１；文字、６１０；画面、７００画面、７０１；文字、７１０；画面
【図１】
0004622055.tif 000002
【図２】
0004622055.tif 000003
【図３】
0004622055.tif 000004
【図４】
0004622055.tif 000005
【図５】
0004622055.tif 000006